(57)【特許請求の範囲】
【請求項１】
ロフト角が異なる複数の番手のゴルフクラブにより構成されたゴルフクラブセットであって、
前記各ゴルフクラブは、シャフトと、ゴルフクラブヘッドと、を有し、
前記各ゴルフクラブヘッドは、
クラウン部と、
フェース部と、
ソール部と、
を備え、
前記クラウン部は、
前記ソール部と接する本体部と、
前記フェース部との境界に沿ってトゥ−ヒール方向に延びる隆起部と、
フェース−バック方向において、前記本体部と隆起部との間に形成される段差と、
を備え、
前記ゴルフクラブセットに含まれる複数のゴルフクラブのうち、少なくとも一組の番手の小さいゴルフクラブと番手の大きいゴルフクラブにおいて、当該ゴルフクラブヘッドのスイートスポットと重心とを通過する垂直面に沿う前記段差のフェース−バック方向の長さは、前記番手の大きいゴルフクラブより、前記番手の小さいゴルフクラブの方が長い、ゴルフクラブセット。
【請求項２】
前記少なくとも一組の番手の小さいゴルフクラブと番手の大きいゴルフクラブは、隣接する番手のゴルフクラブである、請求項１に記載のゴルフクラブセット。
【請求項３】
前記ゴルフクラブヘッドのスイートスポットと重心とを通過する垂直面に沿う前記隆起部のフェース−バック方向の長さは、前記番手の小さいゴルフクラブと、前記番手の大きいゴルフクラブとで、同じである、請求項１または２に記載のゴルフクラブセット。
【請求項４】
前記ゴルフクラブセットに含まれる前記ゴルフクラブの少なくとも１つは、ヘッド本体と、フェース用部材とを組立てることで構成され、
前記ヘッド本体は、前記クラウン部及びソール部により構成され、当該クラウン部及びソール部で囲まれた開口を有し、
前記フェース用部材は、ボールを打撃する板状の前記フェース部と、当該フェース部の周縁から延び、前記開口の端面と接合される周縁部と、を有するカップ状に形成され、
前記フェース用部材の周縁部は、前記ヘッド本体の開口において、前記クラウン部及びソール部と接合される、請求項１から３のいずれかに記載のゴルフクラブセット。
【請求項５】
前記各ゴルフクラブのゴルフクラブヘッドにおいては、前記隆起部の高さが略同じである、請求項１から４のいずれかに記載のゴルフクラブヘッド。
【発明の詳細な説明】
【技術分野】
【０００１】
本発明は、ゴルフクラブセットに関する。
【背景技術】
【０００２】
特許文献１には、クラウン部に、フェース部との境界に沿って延びる隆起部を形成したゴルフクラブヘッドが開示されている。このゴルフクラブでは、隆起部によって、フェース部の高さが高くなるため反発性能が向上するとともに、クラウン部において隆起部以外の領域は高さが低くなるため、ヘッドの重心を低くすることができる。
【先行技術文献】
【特許文献】
【０００３】
【特許文献１】特開２０１３−１６０００４号公報
【発明の概要】
【発明が解決しようとする課題】
【０００４】
上記のようなゴルフクラブヘッドを有するゴルフクラブを用いてゴルフクラブセットを構成し、すべての隆起部を概ね同じ寸法で設計した場合には、アドレスに入ったとき、クラブによって隆起部の見え方が相違し、ゴルファーが違和感を持つ可能性がある。特に、番手の低いクラブは、番手の高いクラブに比べて、アドレス時のヘッドの位置が前方になるため、隆起部の段差が目立ちやすく、番手の高いクラブを使用時と同様にしてアドレスに入りにくいという問題がある。
【０００５】
本発明は、上記問題を解決するためになされたものであり、番手の異なるクラブ間で、隆起部の見え方に違和感が生じるのを防止し、番手が変わっても自然にアドレスに入ることが可能なゴルフクラブセットを提供することを目的とする。
【課題を解決するための手段】
【０００６】
本発明は、ロフト角が異なる複数の番手のゴルフクラブにより構成されたゴルフクラブセットであって、前記各ゴルフクラブは、シャフトと、ゴルフクラブヘッドと、を有し、前記各ゴルフクラブヘッドは、クラウン部と、フェース部と、ソール部と、を備え、前記クラウン部は、前記ソール部と接する本体部と、前記フェース部との境界に沿ってトゥ−ヒール方向に延び、前記本体部から段差を形成して隆起する隆起部と、を備え、前記ゴルフクラブセットに含まれる複数のゴルフクラブのうち、少なくとも一組の番手の小さいゴルフクラブと番手の大きいゴルフクラブにおいて、当該ゴルフクラブヘッドのスイートスポットと重心とを通過する垂直面に沿う前記段差のフェース−バック方向の長さは、前記番手の大きいゴルフクラブより、前記番手の小さいゴルフクラブの方が長い。
【０００７】
上記ゴルフクラブセットにおいて、前記少なくとも一組の番手の小さいゴルフクラブと番手の大きいゴルフクラブは、隣接する番手のゴルフクラブとすることができる。
【０００８】
上記各ゴルフクラブセットにおいて、前記ゴルフクラブヘッドのスイートスポットと重心とを通過する垂直面に沿う前記隆起部のフェース−バック方向の長さは、前記番手の小さいゴルフクラブと、前記番手の大きいゴルフクラブとで、同じにすることができる。
【０００９】
上記ゴルフクラブセットに含まれる前記ゴルフクラブの少なくとも１つは、ヘッド本体と、フェース用部材とを組立てることで構成され、前記ヘッド本体は、前記クラウン部及びソール部により構成され、当該クラウン部及びソール部で囲まれた開口を有し、前記フェース用部材は、ボールを打撃する板状の前記フェース部と、当該フェース部の周縁から延び、前記開口の端面と接合される周縁部と、を有するカップ状に形成され、前記フェース用部材の周縁部は、前記ヘッド本体の開口において、前記クラウン部及びソール部と接合されるように構成することができる。
【発明の効果】
【００１０】
本発明に係るゴルフクラブセットによれば、番手の異なるクラブ間で、隆起部の見え方に違和感が生じるのを防止し、番手が変わっても自然にアドレスに入ることが可能となる。
【図面の簡単な説明】
【００１１】
【図１】本実施形態に係るゴルフクラブヘッドの基準状態の斜視図である。
【図２】図１の平面図である。
【図３】フェース部の境界を説明する図である。
【図４】図１に示すゴルフクラブヘッドの組立を説明する斜視図である。
【図５】図２のＡ−Ａ線断面図である。
【図６】本実施形態に係るゴルフクラブセットを構成するゴルフクラブヘッドの断面図である。
【図７】図１に示すゴルフクラブヘッドの組立を説明する断面図である。
【図８】図１に示すゴルフクラブヘッドの組立を説明する断面図である。
【図９】図１に示すゴルフクラブヘッドの組立を説明する断面図である。
【図１０】図１に示すゴルフクラブヘッドの組立を説明する断面図である。
【発明を実施するための形態】
【００１２】
以下、本発明に係るゴルフクラブセットの一実施形態について、図面を参照しつつ説明する。本実施形態に係るゴルフクラブセットを構成するゴルフクラブは、ユーティリティ型のゴルフクラブ（例えば、２番〜７番ユーティリティ）であり、後述するように、主として、ロフト角のほか、クラウン部の隆起部の形状が相違している。以下では、まず、ゴルフクラブの１つを例に取り、共通の構造を概説した後、ゴルフクラブセットにおける、番手ごとのクラウン部の形状について、詳細に説明する。
【００１３】
＜１．ゴルフクラブヘッドの概要＞
図１に示すように、本実施形態に係るゴルフクラブヘッド（以下、単に「ヘッド」ということがある）は、中空構造であり、フェース部１、クラウン部２、ソール部３、サイド部４、及びホーゼル部５によって壁面が形成されている。
【００１４】
フェース部１は、ボールを打撃する面であり、クラウン部２はフェース部１と隣接し、ヘッドの上面を構成する。ソール部３は、ヘッドの底面を構成し、フェース部１及びサイド部４と隣接する。また、サイド部４は、クラウン部２とソール部３との間の部位であり、フェース部１のトウ側からヘッドのバック側を通りフェース部１のヒール側へと延びる部位である。さらに、ホーゼル部５は、クラウン部２のヒール側に隣接して設けられる部位であり、ゴルフクラブのシャフト（図示省略）が挿入される挿入孔５１を有している。そして、この挿入孔５１の中心軸線Ｚは、シャフトの軸線に一致している。
【００１５】
ここで、上述した基準状態について説明する。まず、図２に示すように、上記中心軸線Ｚが水平面Ｈ（設置面、図５参照）に対して垂直な平面Ｐ１に含まれ、且つ所定のライ角及びリアルロフト角で水平面Ｈ上にヘッドが載置された状態を基準状態と規定する。そして、上記平面Ｐ１を基準垂直面Ｐ１と称する。また、図２に示すように、上記基準垂直面Ｐ１と上記水平面Ｈとの交線の方向をトウ−ヒール方向と称し、このトウ−ヒール方向に対して垂直であり且つ上記水平面Ｈに対して平行な方向をフェース−バック方向と称することとする。
【００１６】
本実施形態において、クラウン部２とサイド部４との境界は次のように定義することができる。すなわち、クラウン部２とサイド部４との間に稜線が形成されている場合には、これが境界となる。これに対して、明確な稜線が形成されていない場合には、ヘッドを基準状態に設置し、これをヘッドの重心の真上から見たときの輪郭が境界となる。また、クラウン部２とフェース部１との境界についても、同様であり、稜線が形成されている場合には、これが境界となる。一方、明確な稜線が形成されていない場合には、例えば、図３（ａ）に示されるように、ヘッド重心ＧとスイートスポットＳＳとを結ぶ直線Ｎを含む各断面Ｅ１、Ｅ２、Ｅ３…において、図３（ｂ）に示されるように、フェース外面輪郭線Ｌｆの曲率半径ｒがスイートスポット側からフェース外側に向かって初めて２００mmとなる位置Ｐｅがフェース部１の周縁（境界）として定義される。なお、スイートスポットＳＳとは、ヘッド重心Ｇを通るフェース面の法線（直線Ｎ）とこのフェース面との交点である。
【００１７】
また、本実施形態において、ソール部３とフェース部１、及びソール部３とサイド部４の境界は次のように定義することができる。すなわち、ソール部３とフェース部１、及びソール部３とサイド部４の間に稜線が形成されている場合には、これが境界となる。また、本実施形態に係るゴルフクラブヘッドでは、サイド部４を有しているが、例えば、サイド部を有さなかったり、サイド部４が明確に判別できずソール部３に含まれており、ソール部３がクラウン部２と直接連結されているような場合には、ソール部３とクラウン部２との間の稜線が、両者の境界となる。また、明確な稜線が形成されていない場合には、ヘッドを基準状態に設置し、これをヘッドの重心の真上から見たときの輪郭が境界となる。なお、上記のようにサイド部が明確に判断できない場合も考慮して、本発明に係る「ソール部」は、サイド部を含むものとする。
【００１８】
このゴルフクラブヘッドの体積は、例えば、９０ｃｍ3以上であることが好ましく、１００ｃｍ3以上であることがさらに好ましい。このような体積を有するヘッドは、構えた際の安心感が増し、かつ、スイートエリア及び慣性モーメントを増大させるのに役立つ。なお、ヘッド体積の上限は特に定めないが、実用上、ユーティリティウッド向けとしては例えば１３０ｃｍ3以下が望ましい。
【００１９】
また、ヘッドは、例えば、比重がほぼ７．７〜７．８程度のマレージング鋼で形成することができる。また、マレージング鋼以外にも、例えばステンレス鋼、チタン合金、アルミ合金、マグネシウム合金、またはアモルファス合金などの中から１種または２種以上を用いて形成することもできる。
【００２０】
＜２．ゴルフクラブヘッドの組立構造＞
本実施形態に係るヘッドは、図４に示すように、クラウン部２、ソール部３、及びサイド部４を有するヘッド本体１０と、フェース部１及びその周縁から延びる周縁部１２を有するカップ状に形成されたフェース用部材２０と、を組み立てることで構成される。このヘッド本体１０は、クラウン部２、ソール部３、及びサイド部４で囲まれた開口を有し、この開口を塞ぐようにフェース用部材２０が取り付けられる。すなわち、フェース用部材２０の周縁部１２の端面が、開口６１の端面と突き合わされ、これらが、後述するように溶接によって接合される。そして、フェース用部材２０は、ヘッド本体１０の開口に取付けられることで、ヘッド本体１０と一体化され、これによって、フェース用部材２０の周縁部１２は、クラウン部２、ソール部３、及びサイド部４の一部として機能する。したがって、フェース用部材２０の周縁部１２がヘッド本体１０に取付けられることで一体的に形成される面が、クラウン部２、ソール部３、及びサイド部４を構成する。そのため、厳密には、ヘッド本体１０の各部は、これらの一部ではあるが、以下では、これを区別することなく、ヘッド本体１０の各部も、クラウン部２、ソール部３、及びサイド部４と称することがある。
【００２１】
＜３．クラウン部及びソール部の構造＞
続いて、図５も参照しつつ、クラウン部２について説明する。図５は図２のＡ−Ａ線断面図、つまりヘッドのスイートスポット及び重心を通過する垂直面（上述した水平面Ｈに垂直な面、以下同じ）に沿う断面である。同図に示すように、クラウン部２は、サイド部４と接する本体部２１と、フェース部１と接する隆起部２２とで構成されている。隆起部２２は、フェース部１に沿ってトゥ−ヒール方向に延びる帯状の領域であり、本体部２１との境界が段差２３となっている。すなわち、図５に示すように、隆起部２２は、傾斜するように延びる段差２３を介して、本体部２１よりも高い位置に形成されている。これにより、隆起部２２と本体部２１との段差２３の分だけ、フェース部１の上下方向の高さが高くなっている。なお、隆起部２２と接合されるフェース用部材２０の周縁部１２も、隆起部２２の一部として機能する。
【００２２】
隆起部２２は、フェース用部材２０の周縁部１２と接合する第１部位２２１と、この第１部位２２１のバック側に一体的に連結される第２部位２２２とを備えている。第１部位２２１は、フェース用部材２０の周縁部１２の端面と接合する部位であり、周縁部１２よりも肉厚が大きくなっている。一方、第２部位２２２は、第１部位２２１よりも肉厚が小さくなっている。より詳細には、クラウン部２の外面においては、両部位２２１，２２２は平坦に接続されているが、クラウン部２の内面において、第２部位２２２は、第１部位２２１の後端側で段差を形成して肉厚が小さくなっている。そして、第２部位２２２の後端部には、上述したように、隆起部２２の後端の段差２３が形成されている。
【００２３】
フェース用部材２０の周縁部１２及び隆起部２２のフェース−バック方向の合計幅Ｄは、例えば、５〜２０ｍｍとすることが好ましく、７〜１５ｍｍとすることがさらに好ましい。このうち、第１部位２２１のフェース−バック方向の幅は、例えば、１〜１０ｍｍとすることが好ましく、１〜５ｍｍとすることがさらに好ましい。第１部位２２１と第２部位２２２の幅の比は、概ね１：１であることが好ましい。また、隆起部２２と本体部２１との段差２３の高さｈは、例えば、１〜５ｍｍとすることが好ましく、１．５〜４ｍｍとすることがさらに好ましい。さらに、隆起部２２の第１部位２２１の肉厚は、例えば、１〜３ｍｍであることが好ましく、１．５〜２．５ｍｍであることがさらに好ましい。また、隆起部２２の第２部位２２２の肉厚は、例えば、０．５〜１．５ｍｍであることが好ましく、０．７〜１．２ｍｍであることがさらに好ましい。この第２部位２２２の肉厚はクラウン部２の本体部２１の肉厚と概ね同じである。なお、これらの寸法は、本実施形態に係るゴルフクラブセットのすべての番手でほぼ同じである。
【００２４】
上述したように、隆起部２２の第１部位２２１の肉厚は、フェース用部材２０の周縁部１２の端面の肉厚よりも大きいが、この点は、ソール部３及びサイド部４についても同じである。例えば、図５に示すように、ソール部３において、開口側の端面の肉厚は、これと接合されるフェース用部材２０の周縁部１２の肉厚よりも大きくなっている。
【００２５】
＜４．番手ごとの隆起部の相違＞
次に、番手毎の隆起部の相違について説明する。本実施形態に係るゴルフクラブセットを構成するユーティリティタイプのゴルフクラブは、番手ごとにロフト角が相違するのに加え、隆起部と本体部との間の段差のフェース−バック方向の長さＬ（以下、単に「段差の長さＬ」という）が相違している。段差の長さＬとは、隆起部の後端縁から本体部の先端縁までのフェース−バック方向の長さである。図６に一例を示す。この例では、２番（ａ）、３番（ｂ）、４番（ｃ）、５番（ｄ）、６番（ｅ）、及び７番（ｆ）のユーティリティタイプのゴルフクラブセットの断面を示しており、図中にロフト角と段差の長さＬを表示している。いずれもヘッドのスイートスポット及び重心を通過する垂直面に沿う断面である。
【００２６】
図６によれば、２番、３番、４番、５番の順で、段差の長さＬが短くなっており、５番、６番、及び７番のクラブは、段差の長さＬが同じである。なお、ヘッドの最大高さ、周縁部と隆起部の合計幅Ｄ、隆起部の高さｈは、すべての番手でほぼ同じである。また、段差の長さＬは、上述したヘッドのスイートスポットと重心とを通過する垂直面に沿う長さであって、次に説明するフェース−バック方向の両端部の間の距離である。すなわち、フェース側の端部は、隆起部２２のバック側の稜線であり、バック側の端部は、クラウン部２の断面において、下に凸の曲面と上に凸の曲面との変曲点とし、これらの端部の間の距離を隆起部２２の長さＬとしている。
【００２７】
＜５．製造方法＞
上記のように構成されたゴルフクラブヘッドは、いずれも種々の方法で作製することができるが、例えば、次のように製造することができる。まず、ヘッド本体１０は、例えば、公知のロストワックス精密鋳造法などの鋳造によって製造することができる。一方、フェース用部材２０は、プレス加工により、製造することができる。そして、ヘッド本体１０と、フェース用部材２０とは、例えば、次に説明するように、溶接により接合される。上記のように、ヘッド本体１０はロストワックス精密鋳造法などで製造できるが、溶接前のヘッド本体用素材の構造は、完成後のヘッド本体１０とは若干異なっている。すなわち、図７に示すように、ヘッド本体１０の開口周縁の外面、つまりクラウン部２、ソール部３，及びサイド部４の外面には、フェース部側に向けて突出する突出部１０１が設けられている。すなわち、この突出部１０１は、開口周縁に沿って環状に形成されている。そして、溶接に先立って、フェース用部材２０の周縁部１２の端面と、開口の端面とを接合すると、図８に示すように、周縁部１２の端部の外面は、環状の突出部１０１により覆われた状態となる。このとき、フェース用部材２０の周縁部１２の端面の肉厚は、開口の端面の肉厚よりも小さいため、両端面の間には段差１０２が形成される。
【００２８】
続いて、フェース用部材２０の周縁部１２の端面とヘッド本体１０の開口の端面との境界に沿って、突出部１０１上に溶接を施す。これによって、図９に示すように、突出部１０１を介して、端面同士が溶接される。このとき、溶融された端面は、段差１０２に沿うため、溶接ビード１０３も段差１０２に沿って形成される。こうして、溶接が完了すると、図１０に示すように、溶融した突出部１０１を削り取り、フェース用部材２０の周縁部１２とヘッド本体１０の開口との接合部分を平坦にする。その後、塗装などを行うことで、ゴルフクラブヘッドが完成する。
【００２９】
＜６．特徴＞
以上のように、本実施形態によれば、番手の小さいゴルフクラブの段差の長さが、番手の大きいゴルフクラブの段差の長さよりも長いため、次の効果を得ることができる。例えば、番手の小さいゴルフクラブを用いる場合には、アドレスに入るとき、一般的にヘッドを前方寄りに配置する。これにより、隆起部の段差が見えやすくなり、番手が大きいゴルフクラブと段差の高さ及び長さが同じであっても、段差が目立ち、より高く見える傾向にある。一方、番手の大きいゴルフクラブを用いる場合には、アドレスに入るとき、一般的にヘッドをゴルファーの正面近くに配置する。これにより、隆起部の段差は見えにくくなり、隆起部の高さが視認しがたくなる。このように、番手が小さいゴルフクラブと、大きいゴルフクラブとでは、隆起部の段差の見え方が相違するため、異なる番手のクラブを連続して用いると、違和感を持つことになり、自然にアドレスに入りがたくなる。
【００３０】
これに対して、本実施形態に係るゴルフクラブセットでは、上記のように、番手の小さいゴルフクラブでは、段差の長さを長くし、段差の傾斜を緩やかにしている。そのため、段差の高さが目立ちにくくなり、より高く見えるのを抑制することができる。これにより、異なる番手のクラブを使用しても、段差の高さの差を感じるのが抑制され、アドレス時に違和感を持つことなく、自然にアドレスに入ることができる。
【００３１】
さらに、次のような効果もある。番手の大きいゴルフクラブヘッドは、ロフト角が大きくなるため、スイートスポットの高さが、番手の小さいゴルフクラブに比べて高い傾向にある。これに対して、本実施形態では、番手の大きいゴルフクラブの段差の長さが短いため、高さの低い本体部２１の面積が広くなり、重心を下げることができる。その結果、スイートスポットの高さも低くなり、ロフト角が大きくても、ヘッドの重心を下げることができ、ゴルフボールを上げやすくすることができる。
【００３２】
その他、各ゴルフクラブヘッドにおいて、次の効果を得ることもできる。
(1) クラウン部２が、サイド部４と接する本体部２１と、フェース部１との境界に沿ってトゥ−ヒール方向に延び、本体部２１から段差２３を形成して隆起する隆起部２２と、を備えている。これにより、クラウン部２において、隆起部２２が本体部２１よりも、段差２３を介して高く形成されているため、隆起部２２が高くなった分だけ、フェース部１の高さを高くすることができる。そのため、フェース部１における反発性能を向上することができる。また、クラウン部２においては、隆起部２２のみが高く形成され、クラウン部２の大半を占める本体部２１は隆起部２２よりも低い位置に形成されているため、ヘッドの重心を低くすることができる。
【００３３】
(2) フェース用部材２０が、板状のフェース部１とその周縁に連結される周縁部１２とを備えたカップ状に形成されているため、フェース部１の反発に加え、周縁部１２も反発に寄与するため、反発性能を向上することができる。また、このようなカップ状のフェース用部材２０を用いると、板状のフェース部を開口に嵌め込むタイプのゴルフクラブヘッドに比べ、溶接ビードの位置が高くなるため、重心が高くなるおそれがある。しかしながら、本実施形態に係るヘッドは、上記のように隆起部２２を設け、それ以外の本体部２１の高さを低くしているため、全体として、ヘッドの重心を低くすることができる。
【００３４】
(3) ヘッド本体１０の開口の端面の肉厚が、フェース用部材２０の周縁部１２の端面の肉厚よりも大きいため、両者を接合時に段差１０２が生じる。そのため、溶接時に形成される溶接ビード１０３が、段差１０２に沿って形成されるため、溶接ビード１０３が両端面の境界に沿って正確に形成される。そのため、溶接の強度にばらつきが生じず、高い接合強度を実現することができる。また、ヘッド本体１０の開口の端面の肉厚が大きいため、剛性が高くなり、その結果、フェース部１からの打撃力に対する機械強度を向上することができる。
【００３５】
(4) 鋳造後のヘッド本体素材の開口の外周面には、フェース部側に突出する突出部１０１が形成されているため、溶接時には、この突出部１０１の上から溶接を行う。このとき、例えば、突出部が設けられておらず、両端面の境界に対して直接溶接を施すと、ヒケによって凹みが生じるおそれがある。これに対して、突出部１０１を設けておけば、突出部１０１に凹みが生じるため、ヘッド本体１０やフェース用部材２０の周縁部１２に直接凹みが生じるのを防止することができる。
【００３６】
(5) 隆起部２２は、肉厚の大きい第１部位２２１と、肉厚の小さい第２部位２２２とで構成されており、第２部位２２２の肉厚が小さい。そのため、反発性能を高めることができる。
【００３７】
＜４．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００３８】
＜４．１＞
上記実施形態では、図６に、ゴルフクラブセットにおける段差の長さの違いの例を示したが、これは一例に過ぎない。上述した効果を得るためには、ゴルフクラブセットの中で少なくとも１組の番手の小さいゴルフクラブと、番手の大きいゴルフクラブとで、上記のような段差の長さの差があればよい。したがって、すべての番手間で段差の長さの差を設けてもよいし、あるいは、その中のいくつかだけ段差の長さの差を設けてもよい。また、段差の長さの数値も一例であり、適用するゴルフクラブによって変更可能である。
【００３９】
＜４．２＞
上記実施形態では、周縁部及び隆起部の合計幅Ｄを各番手で同じにしているが、多少変更することもできる。
【００４０】
＜４．３＞
上記実施形態に係るゴルフクラブの態様は、一例であり、クラウン部２に上記のような隆起部２２が設けられていれば、他の構成は特には限定されない。例えば、上記ゴルフクラブでは、ヘッド本体１０の開口に対し、カップ状のフェース用部材２０を接合しているが、板状のフェース部をヘッド本体の開口に嵌め込むことで、ゴルフクラブヘッドを構成することもできる。
【００４１】
＜４．４＞
上記ゴルフクラブセットは、ユーティリティタイプのゴルフクラブによって構成されているが、フェアウェイウッド、ハイブリッド型のゴルフクラブで構成されていてもよい。なお、フェアウェイウッド向けとして、ヘッドの体積は、例えば１２０ｃｍ3以上２００ｃｍ3以下が望ましい。また、ドライバ向けであれば、ヘッド体積はＲ＆ＡやＵＳＧＡのルール規制に従う場合には４６０ｃｍ3以下が望ましい。
【符号の説明】
【００４２】
１  フェース部
２  クラウン部
２１  本体部
２２  隆起部
２３  段差
３  ソール部
Ｌ  段差の長さ
【図１】
0006561599.tif 000002
【図２】
0006561599.tif 000003
【図３】
0006561599.tif 000004
【図４】
0006561599.tif 000005
【図５】
0006561599.tif 000006
【図６】
0006561599.tif 000007
【図７】
0006561599.tif 000008
【図８】
0006561599.tif 000009
【図９】
0006561599.tif 000010
【図１０】
0006561599.tif 000011